(57)【特許請求の範囲】
【請求項１】
第１の方向の画像及び第２方向の画像をそれぞれディスプレイできる第１のタイプのピクセルと第２のタイプのピクセルが水平方向に交互に配置されたディスプレイモジュールと、
前記ディスプレイモジュールと所定距離だけ離隔して位置し、視聴者の左眼と右眼に前記第１のタイプのピクセル及び前記第２のタイプのピクセルが水平方向にピクセル単位で選択的に見えるように配置された斜線方向パターンのバリアの駆動を制御するバリアモジュールと、を含み、
前記第１のタイプのピクセル及び前記第２のタイプのピクセルは、赤色（Ｒ）、緑色（Ｇ）及び青色（Ｂ）の光をそれぞれディスプレイするサブピクセルを含み、
前記斜線方向パターンは、
順次配列された前記第１のタイプのピクセルと前記第２のタイプのピクセルを行列形態で見るとき、垂直方向に所定個数の行ごとにサブピクセル単位で左側又は右側のうちいずれか一つの方向に持続的に移動した位置にバリアが配置されたパターンであり、
前記斜線方向パターンのバリアは、
前記第１のタイプのピクセル及び前記第２のタイプのピクセルのうちいずれか一つが選択的に見えるように配置される場合、
前記第１のタイプのピクセル及び前記第２のタイプのピクセルのうち他の一つのサブピクセルがそれぞれ対角線方向に所定太さ以下の開放線に沿って開放されるように配置される、立体画像表示装置。
【請求項２】
前記バリアは、前記バリアモジュール上で斜線方向の直線形態に形成される、請求項１に記載の立体画像表示装置。
【請求項３】
前記斜線方向パターンは、垂直方向に２行以後に左側又は右側のうちいずれか一つの方向に１サブピクセルだけ移動し、後続する１行以後に前記いずれか一つの方向に１サブピクセルだけ移動するパターンが繰り返される、請求項１に記載の立体画像表示装置。
【請求項４】
前記バリアは、各行ごとに上端又は下端に透過部を含む、請求項１に記載の立体画像表示装置。
【請求項５】
前記第１の方向の画像は左側画像を示し、前記第２の方向の画像は右側画像を示す、請求項１に記載の立体画像表示装置。
【請求項６】
前記バリアモジュールは、３Ｄディスプレイモードで前記バリアをオンにし、２Ｄディスプレイモードで前記バリアをオフにする、請求項１に記載の立体画像表示装置。
【請求項７】
前記立体画像表示装置はモニター及びＴＶのうちいずれか一つである、請求項１に記載の立体画像表示装置。
【請求項８】
前記斜線方向パターンのバリアは、
前記第１のタイプのピクセル及び前記第２のタイプのピクセルのうちいずれか一つが選択的に見えるように配置される場合、
前記第１のタイプのピクセル及び前記第２のタイプのピクセルのうち他の一つのサブピクセルがそれぞれ対角線方向に所定太さ以下の第１の前記開放線に沿って開放され、前記ディスプレイモジュールの行境界部に対応する位置に前記所定太さ以下の第２の開放線に沿って開放されるように配置される、請求項１に記載の立体画像表示装置。
【請求項９】
第１の方向の画像〜第Ｎの方向の画像の赤色（Ｒ）、緑色（Ｇ）、青色（Ｂ）の光のうち第１の色の光をディスプレイする第１のタイプのサブピクセル〜第Ｎのタイプのサブピクセル、前記第１の方向の画像〜前記第Ｎの方向の画像のＲ、Ｇ、Ｂ光のうち第２の色の光をディスプレイする第１のタイプのサブピクセル〜第Ｎのタイプのサブピクセル、及び前記第１の方向の画像〜前記第Ｎの方向の画像のＲ、Ｇ、Ｂ光のうち第３の色の光をディスプレイする第１のタイプのサブピクセル〜第Ｎのタイプのサブピクセルが順に全ての行で繰り返して配置されたディスプレイモジュールと、
前記ディスプレイモジュールと所定距離だけ離隔して配置され、視聴者の左眼と右眼に前記第１の方向の画像〜前記第Ｎの方向の画像のうち互いに異なる２方向の画像がサブピクセル単位で選択的に見えるように配置された斜線方向パターンのバリアの駆動を制御するバリアモジュールと、を含み、
前記斜線方向パターンは、最初の２行以後に左側又は右側のうちいずれか一つの方向に１サブピクセルだけ移動し、後続する１行以後に再び前記いずれか一つの方向に１サブピクセルだけ移動し、後続する２行以後に前記いずれか一つの方向に１サブピクセルだけ移動する方式が繰り返されるパターンを示し（ただし、Ｎ＞２）、
前記斜線方向パターンのバリアは、
前記第１の方向の画像〜前記第Ｎの方向の画像のうち互いに異なる２方向の画像がサブピクセル単位で選択的に見えるように配置される場合、
前記第１の方向の画像〜前記第Ｎの方向の画像のうち残りの方向の各画像に対応するサブピクセルがそれぞれ対角線方向に所定太さ以下の開放線に沿って開放されるように配置される、立体画像表示装置。
【請求項１０】
前記立体画像表示装置は最大Ｎ−１個の立体画像視聴地点を提供する、請求項９に記載の立体画像表示装置。
【請求項１１】
前記バリアモジュールは、３Ｄディスプレイモードで前記バリアをオンにし、２Ｄディスプレイモードで前記バリアをオフにする、請求項９に記載の立体画像表示装置。
【請求項１２】
前記立体画像表示装置はモニター及びＴＶのうちいずれか一つである、請求項９に記載の立体画像表示装置。
【請求項１３】
前記第１の方向の画像〜前記第Ｎの方向の画像のうち互いに異なる２方向の画像がサブピクセル単位で選択的に見えるように配置される場合、
前記第１の方向の画像〜前記第Ｎの方向の画像のうち残りの方向の各画像に対応するサブピクセルがそれぞれ対角線方向に所定太さ以下の第１の前記開放線に沿って開放され、前記ディスプレイモジュールの行境界部に対応する位置に前記所定太さ以下の第２の開放線に沿って開放されるように配置される、請求項９に記載の立体画像表示装置。
【発明の詳細な説明】
【技術分野】
【０００１】
以下の説明は、パララックスバリア方式の立体画像表示装置に関するもので、具体的に、モアレ干渉（ｍｏｉｒｅ  ｉｎｔｅｒｆｅｒｅｎｃｅ）を防止するための斜線方向パララックスバリア方式の立体画像表示装置に関するものである。
【背景技術】
【０００２】
一般に、立体画像（又は３Ｄ画像）を具現する方法は、人間の二つの目に互いに異なる画像を照明することによって具現され、立体画像表示装置は、このように二つの目に互いに異なる画像を照明するために別途の眼鏡着用が必要であるかどうかによって、大きく眼鏡式立体画像表示装置と非眼鏡式（裸眼方式）立体画像表示装置に区分される。
【０００３】
眼鏡式立体画像表示装置によれば、観察者が特殊の眼鏡を着用すべきであるという不便さがあるが、非眼鏡式立体画像表示装置によれば、上述した眼鏡を着用せずに直接スクリーンを注視するだけで立体画像を感じることができ、眼鏡式立体画像表示装置の短所を解消することができる。そのため、非眼鏡式立体画像表示装置に対する研究が大いに進行されている。非眼鏡式立体画像表示装置は、レンチキュラ（ｌｅｎｔｉｃｕｌａｒ）方式による装置とパララックス―バリア（ｐａｒａｌｌａｘ―ｂａｒｒｉｅｒ）方式による装置に大きく区分される。
【０００４】
以下では、パララックス―バリア方式による立体画像表示装置の動作を図１ａ及び図１ｂを参照して説明する。
【０００５】
図１ａは、パララックス―バリアを用いた立体画像表示装置の断面図で、図１ｂは、パララックス―バリアを用いた立体画像表示装置の斜視図である。
【０００６】
パララックス―バリア方式による立体画像表示装置は、図１ａ及び図１ｂに示すように、左／右の二つの目にそれぞれ対応する垂直方向（図１ｂのＹ―Ｙ'方向）に向かう左側画像（Ｌ）と右側画像（Ｒ）を水平方向（図１ｂのＸ―Ｘ'方向）に交互に配置したディスプレイモジュール１０と、その前側に配置した、バリア２０と呼ばれる垂直方向に向かう棒状の遮断膜と、を含む。このような立体画像表示装置は、図１ａに示すように、左側画像（Ｌ）に該当する光は左眼のみに入射され、右側画像（Ｒ）に該当する光は右眼のみに入射されるように前記ディスプレイモジュール１０及びバリア２０を配置し、これを通して、分割された２個の左側及び右側画像（Ｌ、Ｒ）が分離された状態で観測され、立体感を感じさせる方式を用いている。
【０００７】
以下では、上述したパララックスバリア方式に用いられる立体画像コンテンツについて説明する。
【０００８】
図２は、２個のカメラを用いて撮影した左側画像と右側画像をそれぞれ示した図である。
【０００９】
２個のカメラ又はカメラモジュールは、図２の（１）のような左側画像（Ｌ）と図２の（２）のような右側画像（Ｒ）を撮影することができる。図２に示すような左側画像（Ｌ）と右側画像（Ｒ）は、停止画像又は動画像であり、それぞれのカメラを通した一般的な画像コンテンツに該当する。
【００１０】
図３は、２個のカメラを用いて撮影した左側画像と右側画像を合成した画像を示した図である。
【００１１】
具体的に、図２の（１）及び（２）に示すような２個のカメラによって撮影された左側画像と右側画像は、立体画像生成手段に入力され、それぞれ縦方向の列単位で分割され、横方向に交互に配置されて合成される。このように空間的に交互に配置された左側及び右側画像は、図１ａ及び図１ｂのようなパララックスバリアを用いたディスプレイモジュールを通してユーザの左眼には左側画像のみが見え、右眼には右側画像のみが見えることによって、全体的に立体画像と認知されるようになる。
【００１２】
従来のパララックスバリア方式の立体画像ディスプレイモジュールの場合、図１ａ及び図１ｂに示すように、左側画像と右側画像がそれぞれ縦方向の列単位で分割され、横方向に配置されて合成された立体画像のみがユーザに立体画像として認知されていた。ただし、本発明者によって発明され、本出願人によって出願された「セル構造のパララックス―バリア及びこれを用いる立体画像表示装置（特許文献１）によれば、上述したパララックスバリアをセル方式で具現し、これを横方向又は縦方向に選択的に駆動することができる。したがって、立体画像を合成する場合、合成の方向は、いずれか一つの方向に限定される必要がなく、立体画像を合成する方向及びこれを上映するのに用いられるパララックスバリア方式のディスプレイモジュールのバリア方向を調節し、立体画像を上映することができる。
【先行技術文献】
【特許文献】
【００１３】
【特許文献１】大韓民国特許出願番号第２００５―０１２７６３１号
【発明の概要】
【発明が解決しようとする課題】
【００１４】
上述したようなパララックスバリア方式の立体画像表示方法においては、モアレ干渉が問題になり得る。
【００１５】
モアレ干渉とは、周期的な模様が重なって表れる干渉現象であって、例えば、蚊帳のような２枚の網紗が重なっているとき、網紗をなす細密な織物の格子間隔より遥かに大きく、かつ変化が多様な斑紋が生じる現象である。他の例として、二つの櫛を重ねたとき、間隔が櫛の歯より広い新しい暗い影が見えることを挙げることができる。このように周期的な模様が重なって元の周期より大きい模様を作る現象をモアレ干渉といい、このときに生じる模様をモアレ縞（ｍｏｉｒｅ  ｆｒｉｎｇｅ）という。
【００１６】
したがって、以下で説明する本発明では、上述したモアレ干渉を防止できる斜線方向パララックスバリアパターンを提案し、これを用いた立体画像表示装置を提案しようとする。
【００１７】
一方、ディスプレイモジュールは、一般的にピクセル単位で構成されており、それぞれのピクセルは、該当のピクセルイメージの赤色（Ｒ）、緑色（Ｇ）及び青色（Ｂ）の光をそれぞれディスプレイするサブピクセルで構成される。このような仮定下で、前記斜線方向パララックスバリアパターンを用いるバリアが、左側画像／右側画像がサブピクセル単位で区分されて見えるように設定される場合、各色の光が混合されて観測されるレインボー現象（Ｒａｉｎｂｏｗ  Ｅｆｆｅｃｔ）が問題になり得る。
【００１８】
したがって、以下で説明する本発明では、このようなレインボー現象を防止するために、視聴者の左眼と右眼にディスプレイモジュールのピクセル単位で左側画像と右側画像が区分されて見えるように設定された、バリアを用いた立体画像表示装置を提案する。
【００１９】
また、パララックスバリア方式の立体画像表示装置において、Ｎ個（Ｎ＞２）の画像を同時にディスプレイし、視聴者の左眼と右眼に前記Ｎ個の画像のうち互いに異なる２個の画像が区分されて見えるように多重ビュー方式を設定するとき、最適な設定方法を提供しようとする。
【００２０】
併せて、パララックスバリア方式において問題になり得る輝度の減少を効率的に解決する方法を提供しようとする。
【課題を解決するための手段】
【００２１】
上述したような課題を解決するための本発明の一実施形態では、第１の方向の画像及び第２の方向の画像をそれぞれディスプレイできる第１のタイプのピクセルと第２のタイプのピクセルが水平方向に交互に配置されたディスプレイモジュールと、前記ディスプレイモジュールと所定距離だけ離隔して位置し、視聴者の左眼と右眼に前記第１のタイプのピクセル及び前記第２のタイプのピクセルが水平方向にピクセル単位で選択的に見えるように配置された斜線方向パターンのバリアの駆動を制御するバリアモジュールと、を含み、前記第１のタイプのピクセル及び前記第２のタイプのピクセルは、赤色（Ｒ）、緑色（Ｇ）及び青色（Ｂ）の光をそれぞれディスプレイする各サブピクセルを含み、前記斜線方向パターンは、順次配列された前記第１のタイプのピクセルと前記第２のタイプのピクセルを行列形態で見るとき、垂直方向に所定個数の行ごとにサブピクセル単位で左側又は右側のうちいずれか一つの方向に持続的に移動した位置にバリアが配置されたパターンである立体画像表示装置を提案する。
【００２２】
このとき、前記バリアは、前記バリアモジュール上で斜線方向の直線形態に形成されることもある。
【００２３】
また、前記斜線方向パターンは、垂直方向に（２，１）行ごとにサブピクセル単位で左側又は右側のうちいずれか一つの方向に持続的に移動した位置に配置されることが望ましく、ここで、（ｘ，ｙ）は、最初のｘ行以後に前記いずれか一つの方向に移動し、後続するｙ行以後に前記いずれか一つの方向に移動する方式が繰り返されるパターンを示す。
【００２４】
また、前記バリアは、各行ごとに上端又は下端に透過部を含むことができる。
【００２５】
前記第１の方向の画像は左側画像を示し、前記第２の方向の画像は右側画像を示すことができるが、これと反対に設定されることもある。
【００２６】
上述した実施形態で、前記バリアモジュールは、３Ｄディスプレイモードで前記バリアをオンにし、２Ｄディスプレイモードで前記バリアをオフにすることができる。
【００２７】
また、前記立体画像表示装置は、モニター及びＴＶのうちいずれか一つである。
【００２８】
上述したような課題を解決するための本発明の他の一実施形態では、第１の方向の画像〜第Ｎの方向の画像の赤色（Ｒ）、緑色（Ｇ）、青色（Ｂ）の光のうち第１の色の光をディスプレイする第１のタイプのサブピクセル〜第Ｎのタイプのサブピクセル、前記第１の方向の画像〜前記第Ｎの方向の画像のＲ、Ｇ、Ｂ光のうち第２の色の光をディスプレイする第１のタイプのサブピクセル〜第Ｎのタイプのサブピクセル、及び前記第１の方向の画像〜前記第Ｎの方向の画像のＲ、Ｇ、Ｂ光のうち第３の色の光をディスプレイする第１のタイプのサブピクセル〜第Ｎのタイプのサブピクセルが順に全ての行で繰り返して配置されたディスプレイモジュールと、前記ディスプレイモジュールと所定距離だけ離隔して配置され、視聴者の左眼と右眼に前記第１の方向の画像〜前記第Ｎの方向の画像のうち互いに異なる２方向の画像がサブピクセル単位で選択的に見えるように配置された斜線方向パターンのバリアの駆動を制御するバリアモジュールと、を含み、前記斜線方向パターンは、（２，１，２）行ごとにサブピクセル単位で左側又は右側のうちいずれか一つの方向に持続的に移動した位置に配置され、前記（２，１，２）パターンは、最初の２行以後に前記いずれか一つの方向に１サブピクセルだけ移動し、後続する１行以後に再び前記いずれか一つの方向に１サブピクセルだけ移動し、後続する２行以後に前記いずれか一つの方向に１サブピクセルだけ移動する方式が繰り返されるパターンを示す立体画像表示装置を提案する（ただし、Ｎ＞２）。
【００２９】
このとき、前記立体画像表示装置は、最大Ｎ−１個の立体画像視聴地点を提供することができる。
【００３０】
本実施形態でも、前記バリアモジュールは、３Ｄディスプレイモードで前記バリアをオンにし、２Ｄディスプレイモードで前記バリアをオフにすることができ、前記立体画像表示装置はモニター及びＴＶのうちいずれか一つである。
【発明の効果】
【００３１】
上述したような斜線方向パターンのパララックスバリア方式の立体画像表示装置によれば、モアレ干渉を効率的に抑制しながらも、視聴者の左眼と右眼にピクセル単位でディスプレイモジュールの互いに異なるピクセルが見えるようにバリアが設定されることによって、上述したレインボー現象を効率的に防止することができる。また、上述したようなピクセル単位のディスプレイ方式に従う場合、サブピクセル単位のディスプレイ方式に比べて最大３倍の視野角を確保することができ、一定水準の輝度向上も達成することができる。
【００３２】
また、バリアの各行ごとに上端又は下端に透過部を設けることによって、意図しない横縞模様を除去することができる。
【００３３】
一方、多重ビュー方式においては、一つのピクセルのＲ、Ｇ、Ｂ光を縦方向に配列し、複数の画像の重畳によって発生しうる輝度問題を解決することができ、多重ビュー方式において最も最適なパターンとして（２，１，２）を用いてモアレ干渉を最も効率的に減少させることができる。
【００３４】
併せて、パララックスバリア方式において問題になり得る輝度の減少を、視聴者が感じる立体感の低下なしに効率的に解決することができる。
【図面の簡単な説明】
【００３５】
【図１ａ】パララックス―バリアを用いた立体画像表示装置の断面図である。
【図１ｂ】パララックス―バリアを用いた立体画像表示装置の斜視図である。
【図２】２個のカメラを用いて撮影した左側画像と右側画像をそれぞれ示した図である。
【図３】２個のカメラを用いて撮影した左側画像と右側画像を合成した画像を示した図である。
【図４】本発明の一実施形態に係るディスプレイモジュールとバリアモジュールによってディスプレイされる画像の概念を説明するための図である。
【図５】本発明の他の一実施形態に係るディスプレイモジュールとバリアモジュールによってディスプレイされる画像の概念を説明するための図である。
【図６】本発明の更に他の一実施形態に係るバリアパターンを示した図である。
【図７】本発明の更に他の一実施形態に係る多重ビュー方式の立体画像ディスプレイ装置の原理を説明するための図である。
【図８】本発明の更に他の一実施形態に係る多重ビュー方式の立体画像ディスプレイ装置の原理を説明するための図である。
【図９】本発明の更に他の一側面によって立体画像の輝度を増加させる方法を説明するための図である。
【図１０】本発明の好適な一実施形態によって立体画像の輝度を増加させる方法を説明するための図である。
【図１１】本発明の更に他の一実施形態によって立体画像の輝度を増加させる方法を説明するための図である。
【発明を実施するための形態】
【００３６】
以下、本発明に係る好適な実施形態を添付の図面を参照して詳細に説明する。添付の図面と共に以下で開示する詳細な説明は、本発明の例示的な実施形態を説明するためのものであって、本発明が実施され得る唯一の実施形態を示すためのものではない。
【００３７】
以下の詳細な説明は、本発明の完全な理解を提供するために具体的な詳細事項を含む。しかし、当業者であれば、本発明がこのような具体的な詳細事項なしも実施され得ることを知ることができる。いくつかの場合、本発明の概念が曖昧になることを避けるために、公知の構造及び装置が省略されたり、各構造及び装置の核心機能を中心にしたブロック図の形式で示される。また、本明細書全般にわたって同一の構成要素については、同一の図面符号を使用して説明する。
【００３８】
図４は、本発明の一実施形態に係るディスプレイモジュールとバリアモジュールによってディスプレイされる画像の概念を説明するための図である。
【００３９】
本実施形態において、ディスプレイモジュールは図１ｂの図面符号１０に対応し、バリアモジュールは図１ｂの図面符号２０に対応する。ただし、本実施形態に係るディスプレイモジュールとバリアモジュールがディスプレイする画像は、次のような特徴を有する。
【００４０】
本実施形態に係るディスプレイモジュールは、第１の方向の画像及び第２方向の画像をそれぞれディスプレイできる第１のタイプのピクセルと第２のタイプのピクセルが水平方向に交互に配置された形態を有することができる。ここで、第１のタイプのピクセルは左側画像ディスプレイ用ピクセルを示し、第２のタイプのピクセルは右側画像ディスプレイ用ピクセルを示すことができるが、これと反対に設定されることもある。このとき、第１のタイプのピクセル及び第２のタイプのピクセルは、それぞれ赤色（Ｒ）、緑色（Ｇ）、青色（Ｂ）の光をそれぞれディスプレイする３個のサブピクセルを含むと仮定する。
【００４１】
また、本実施形態に係るバリアモジュールは、前記ディスプレイモジュールと所定距離だけ離隔して配置され、視聴者の左眼と右眼に前記第１のタイプのピクセル及び前記第２のタイプのピクセルが水平方向にピクセル単位で選択的に見えるように配置された斜線方向パターンのバリアの駆動を制御することを特徴とする。
【００４２】
ここで、「斜線方向パターン」とは、図４に示すように、順次配列された前記第１のタイプのピクセルと前記第２のタイプのピクセルを行列形態で見るとき、垂直方向に所定個数の行ごとにサブピクセル単位で左側又は右側のうちいずれか一つの方向に持続的に移動した位置に配置されたパターンを称する。
【００４３】
図４は、前記第１のタイプのピクセル（Ｒ，Ｇ，Ｂ）及び前記第２のタイプのピクセル（Ｒ，Ｇ、Ｂ）のうち第１のタイプのピクセルのみが視聴者に見えるように設定された場合を示している。すなわち、図４で黒く表示された部分には、第２のタイプのピクセルに対応するＲ、Ｇ、Ｂ画像がディスプレイされると見られる。図４に示すように、本実施形態に係るバリアは、所定個数の行ごとに左側又は右側のうちいずれか一つの方向にサブピクセル単位で移動した斜線方向パターンを有することを提案し、図４は、所定行ごとに１サブピクセルだけ左側方向に継続して移動したパターンを示している。このような斜線方向パターンを用いることによって、重複される直線形態のパララックスバリア方式において問題になる上述したモアレ干渉の影響を効率的に減少させることができる。すなわち、ディスプレイモジュールの直線状パターンとバリアの配置パターンが、モアレ干渉の問題を有する繰り返されたパターンをなすのを防止する。
【００４４】
一方、本実施形態では、図４に示すように、バリアが視聴者の左眼と右眼に特定の行でサブピクセル単位でないピクセル単位で区分されて見えるように設定されることを提案した。これは、バリアが、特定の行で視聴者の左眼と右眼に第１のタイプのピクセルと第２のタイプのピクセルがそれぞれのＲ、Ｇ、Ｂ光のうちいずれか一つをディスプレイするサブピクセル単位で区分されて見えるように設定される場合、視聴者の移動とともにレインボー現象が発生するおそれがあるためである。以下、前記レインボー現象について簡単に説明する。
【００４５】
上述したように、第１のタイプのピクセルのＲ、Ｇ、Ｂサブピクセルと第２のタイプのピクセルのＲ、Ｇ、Ｂサブピクセルは、特定の行で順次配置される。特定の行で、バリアが、視聴者の左／右眼に第１のタイプのピクセルのＲと第２のタイプのピクセルのＲが区分されて見えるように設定される場合、視聴者が少し移動しただけでも、視聴者の左／右眼には隣接する色の光、例えば、視聴者が右側に移動する場合にＢが流入したように見えるようになる。このように視聴者が移動するとき、意図しない色の光が流入し、虹のような画像が見えることを上述したレインボー現象と称する。
【００４６】
ただし、本実施形態のように、バリアが、特定の行で視聴者の左／右眼に第１のタイプのピクセル又は第２のタイプのピクセルがピクセル単位で区分されて見えるように設定され、バリアが斜線方向パターンを有する場合、視聴者が移動するとしても、特定の色の光のみが流入し、レインボー現象が発生するのを防止することができる。例えば、上述した例のように視聴者が右側に移動する場合、特定の行ではＲが流入し、他の特定の行ではＧが流入し、更に他の特定の行ではＢが流入するようになるが、ピクセル単位で見るとき、特定の行では第１のタイプのピクセル又は第２のタイプのピクセルの一定量のＲ、Ｇ、Ｂを見ることができ、上述したレインボー現象が効率的に防止される。
【００４７】
また、上述したようなピクセル単位のディスプレイ方式に従う場合、サブピクセル単位のディスプレイ方式に比べて最大３倍の視野角を確保することができ、一定水準の輝度向上も達成することができる。
【００４８】
一方、本発明の好適な実施形態では、バリアの斜線方向パターンが（２，１）行ごとに１サブピクセルだけ左側方向又は右側方向に継続して移動するパターンを有することを提案する。ここで、（２，１）は、最初の２行以後に左側／右側方向に１サブピクセルだけ移動し、後続する１行以後に再び左側／右側方向に１サブピクセルだけ移動する方式が持続されるパターンを示す。
【００４９】
図５は、本発明の他の一実施形態に係るディスプレイモジュールとバリアモジュールによってディスプレイされる画像の概念を説明するための図である。
【００５０】
図５に示すような本発明の他の一実施形態では、バリアがバリアモジュール上で斜線方向に形成された直線形態に形成されることを提案する。バリアを斜線方向の直線形態に構成することによって、バリアの製作を簡単にすることができ、図４に示した実施形態と比べて大きな性能差なしに立体画像ディスプレイを具現することができる。図５に示した実施形態においても、バリアは、特定の行で視聴者の左眼と右眼にピクセル単位で第１のタイプのピクセル又は第２のタイプのピクセルが見えるように設定されることを提案する。図５に示した斜線方向の直線パターンも、図４の（２，１）パターンと実質的に同一の移動パターンを有すると見られる。すなわち、図５に示したバリアパターンは、図４に示したバリアパターンに対応する傾きを有する直線状パターンに形成することができる。
【００５１】
一方、本発明の発明者は、上述したような斜線方向パターンを有するパララックスバリア方式の立体画像ディスプレイ装置を具現する場合、毎行間のピクセル境界で意図しない横縞模様が観測される現象を見出し、次のような実施形態を提案した。
【００５２】
図６は、本発明の更に他の一実施形態に係るバリアパターンを示した図である。
【００５３】
上述したような意図しない横縞模様は、毎行間のピクセル境界で輝度の減少などの問題によって発生する。したがって、図６に示すように、バリアの各行ごとに上端又は下端に透過部を含むように構成することによって、意図しない横縞模様を効率的に減少させることができる。本実施形態で説明した透過部は、図５のように毎行ごとに形成したり、所定周期又はパターンに形成することができ、これは、バリアパターンによって異なり得る。
【００５４】
一方、以下では、２視点画像を用いた立体画像ディスプレイ方式と異なり、Ｎ個（Ｎ＞２）の視点画像を用いて最大Ｎ−１個の視聴可能位置を設けることができる多重ビュー方式の立体画像ディスプレイ装置について説明する。
【００５５】
図７は、本発明の更に他の一実施形態に係る多重ビュー方式の立体画像ディスプレイ装置の原理を説明するための図である。
【００５６】
図７に示すような本発明の一実施形態に係る多重ビュー方式の立体画像ディスプレイ装置によるディスプレイモジュールは、第１の方向の画像〜第Ｎの方向の画像の赤色（Ｒ）、緑色（Ｇ）、青色（Ｂ）の光のうち第１の色の光をディスプレイする第１のタイプのサブピクセル〜第Ｎのタイプのサブピクセル、前記第１の方向の画像〜前記第Ｎの方向の画像のＲ、Ｇ、Ｂ光のうち第２の色の光をディスプレイする第１のタイプのサブピクセル〜第Ｎのタイプのサブピクセル、及び前記第１の方向の画像〜前記第Ｎの方向の画像のＲ、Ｇ、Ｂ光のうち第３の色の光をディスプレイする第１のタイプのサブピクセル〜第Ｎのタイプのサブピクセルが順に全ての行で繰り返して配置されることを提案する。すなわち、第１の方向の画像〜第Ｎの方向の画像のＲをＮ回繰り返し、次にＮ個のＧを繰り返し、次にＮ個のＢを繰り返す方式である。
【００５７】
また、本実施形態に係るバリアモジュールは、前記ディスプレイモジュールと所定距離だけ離隔して配置され、視聴者の左眼と右眼に前記第１の方向の画像〜前記第Ｎの方向の画像のうち互いに異なる２方向の画像がサブピクセル単位で選択的に見えるように配置された斜線方向パターンのバリアの駆動を制御することを提案する。具体的に、図７に示すように、特定の行では、第１の方向の画像のＲ、Ｇ、Ｂが別途の開口部を通してディスプレイされるサブピクセル単位のディスプレイを提案する。
【００５８】
多重ビュー方式の立体画像ディスプレイ装置の場合、上述した２方向の画像の立体画像ディスプレイ装置で「ピクセル単位」のディスプレイを行っていたのとは異なり、「サブピクセル単位」のディスプレイを行う理由は次の通りである。
【００５９】
多重ビュー方式においても、２方向の画像方式と同様に、第１の方向の画像のＲ、Ｇ、Ｂ、第２の方向の画像のＲ、Ｇ、Ｂ、…のようにピクセル単位で配置されたディスプレイモジュールを用いて、バリアが特定方向の画像のＲ、Ｇ、Ｂをピクセル単位でディスプレイする場合、残りの第２〜第Ｎの方向の画像のＲ、Ｇ、Ｂ全体をバリアが遮る必要があり、これによって、画像の遮られる面積が非常に広いことから、輝度減少問題及び視聴者にバリアが見える問題を引き起こすおそれがある。したがって、本実施形態に係る多重ビュー方式の立体画像ディスプレイ装置においては、バリアが、Ｎ方向の画像のうち特定方向の画像がＲ、Ｇ、Ｂのうちいずれか一つの色の光に対応するサブピクセル単位で区分されて視聴者に見えるように設定されることによって、上述した輝度減少問題及びバリアが見える問題などを解決することができる。
【００６０】
併せて、多重ビュー方式の場合、第１〜第Ｎの方向の画像のＲ、Ｇ、Ｂのうちいずれか一つの色の光がＮ回繰り返して配置されるので、視聴者が移動する場合も、上述した２方向の画像方式の場合と異なり、レインボー現象がそれほど問題にならない。
【００６１】
一方、図７に示した実施形態に係るバリアも、モアレ干渉を防止するために斜線方向パターンを有することを提案する。本発明の発明者は、多重ビュー方式において最適なバリアパターンを求めるために、（２，１）パターン、（２，１，２）パターン、（１，１，１）パターンなどを構成して上述したモアレ干渉程度を確認し、最適なパターンとして（２，１，２）パターンを提案する。すなわち、本実施形態に係るバリアの斜線方向パターンは、最初の２行以後に左側又は右側のうちいずれか一つの方向に１サブピクセルだけ移動し、後続する１行以後に再び前記いずれか一つの方向に１サブピクセルだけ移動し、後続する２行以後に前記いずれか一つの方向に１サブピクセルだけ移動する方式が繰り返されるパターンを有することを提案する。
【００６２】
図８は、本発明の更に他の一実施形態に係る多重ビュー方式の立体画像ディスプレイ装置の原理を説明するための図である。
【００６３】
図８に示すように、多重ビュー方式においても、２方向の画像方式と同様に、バリアを斜線方向の直線形態に形成することができる。これを通して、バリアの製作を簡単にしながらも類似した性能を得ることができる。図８は、本実施形態に係るバリアも図７に示した（２，１，２）斜線方向パターンを有することを示している。
【００６４】
併せて、本発明の一実施形態に係る多重ビュー方式の立体画像ディスプレイ装置のバリアも、図６と関連して説明したような透過部を所定行単位で又は毎行単位で設定することができる。
【００６５】
以下では、上述した各実施形態に加えて、立体画像表示装置によってディスプレイされる立体画像の立体感に影響を与えないとともに、輝度を効率的に向上させる方法について説明する。
【００６６】
説明の便宜上、以下の輝度向上方法に対する図面は、バリアが上述した斜線方向パターンを有さずに単に垂直方向に形成されることを示しているが、このような輝度向上方法に対する説明を通して、当業者であれば、容易に上述した斜線方向パターンを有するパララックスバリア方式に適用できるであろう。
【００６７】
図９は、本発明の更に他の一側面によって立体画像の輝度を増加させる方法を説明するための図である。
【００６８】
図９は、左側画像をディスプレイするピクセル領域をＬと表記し、右側画像をディスプレイするピクセル領域をＲと表記する場合、視聴者の右眼に右側画像のみがディスプレイされるようにバリアパターンが配置されることを示した図である。２方向の画像を用いたパララックスバリア方式は、２個の画像のうち一つの画像を遮って選択的にディスプレイする方式であるので、ディスプレイされる画像の輝度が１／２に減少するという問題が存在するようになる。したがって、本実施形態では、図９に示すように遮られるピクセル領域の一部に所定太さ以下の薄い開放線を置き、遮られる画像の光が輝度向上に用いられるように設定されることを提案する。ただし、元々遮られるべき画像の一部が視聴者に見えるようにすることによって、視聴者が感じる立体感に影響を与えるという問題も発生する。特に、本発明の発明者は、遮られるべき画像のＲ、Ｇ、Ｂが連結される形態で開放される場合、視聴者に遮られる画像の一部が認識され、立体感が低下するのを認知し、次のような形態を提案した。
【００６９】
図１０は、本発明の好適な一実施形態によって立体画像の輝度を増加させる方法を説明するための図である。
【００７０】
図１０は、図９とは異なり、視聴者に遮られるべきピクセル領域（Ｌ）に対して輝度向上のための開放線を追加し、開放線がＲ、Ｇ、Ｂをディスプレイする各サブピクセルの対角線方向に薄い線形態に配置されることを示している。本実施形態のように、遮られるピクセル領域（Ｌ）の各サブピクセルで開放線が対角線方向に配置されることによって、視聴者のいずれか一つの目（右眼）には遮られるピクセル領域（Ｌ）が認知されないので、輝度を向上させるとともに、立体感が低下するのを最小化することができる。図１０に示すように、遮られるピクセル領域（Ｌ）の各サブピクセルで対角線方向の開放線を用いるとき、視聴者に遮られるピクセル領域の画像が認知されない理由は、該当のピクセル領域がディスプレイする画像のＲ、Ｇ、Ｂが所定距離以上離れて配置されるためである。
【００７１】
図１１は、本発明の更に他の一実施形態によって立体画像の輝度を増加させる方法を説明するための図である。
【００７２】
本発明に係る立体画像ディスプレイ装置のディスプレイモジュールにおいては、各行ごとに行境界部に画像を表示できないブラックラインが存在する。図１１では、図１０のパターンのような遮られるピクセル領域の各サブピクセルでの対角線方向の開放線（以下、「第１の開放線」という。）に加えて、上述したブラックラインに対応する位置で遮られるピクセル領域の画像を露出させる水平方向の開放線（以下、「第２の開放線」という。）を追加で含むことを提案する。ディスプレイモジュールのブラックラインに対応する位置で遮られる画像（Ｌ）を露出させるとしても、視聴者が感じる立体感には大きな影響がない反面、輝度を効率的に向上させることができる。
【００７３】
図９〜図１１と関連して説明した輝度向上技術は、図４〜図６と関連して説明したように、斜線方向のバリアパターンにそのまま適用されるとともに、図７及び図８と関連して説明した多視点方式にもそのまま適用される。例えば、第１の方向の画像〜第Ｎの方向の画像のうち互いに異なる２方向の画像がサブピクセル単位で視聴者に選択的に見えるように配置される場合、残りの方向の各画像には各サブピクセルごとに対角線方向の薄い開放線（第１の開放線）が形成され、これらを露出させることができる。さらに、ディスプレイモジュールの行境界に対応する位置で第２の開放線が形成され、これらを露出させることができる。
【００７４】
一方、図９〜図１１と関連して説明した輝度向上方法は、図４〜図８と関連して説明した斜線方向パターンと独立的に適用されることもある。
【００７５】
上述した各実施形態において、バリアモジュールは、３Ｄディスプレイモードで前記バリアをオンにし、２Ｄディスプレイモードで前記バリアをオフにするように設定され、一つの立体画像表示装置が２Ｄ／３Ｄ兼用として用いられるようにする。また、上述した各実施形態では、立体画像表示装置がモニター及びＴＶのうちいずれか一つであることを仮定するが、これに限定される必要はなく、上述した本発明の概念が適用される限り、多様な画像機器に適用され得る。
【００７６】
上述したように開示された本発明の好適な実施形態に対する詳細な説明は、当業者が本発明を具現して実施できるように提供された。上記では、本発明の好適な実施形態を参照して説明したが、該当の技術分野の熟練した当業者であれば、下記の特許請求の範囲に記載された本発明の思想及び領域から逸脱しない範囲内で本発明を多様に修正及び変更可能であることを理解できるであろう。
【００７７】
したがって、本発明は、ここで開示された各実施形態に制限されるものでなく、ここで開示された各原理及び新規の特徴と一致する最広の範囲を与えるものである。
【符号の説明】
【００７８】
１０  ディスプレイモジュール
２０  パララックスバリア
【図１ａ】
0005351129.tif 000002
【図１ｂ】
0005351129.tif 000003
【図２】
0005351129.tif 000004
【図３】
0005351129.tif 000005
【図４】
0005351129.tif 000006
【図５】
0005351129.tif 000007
【図６】
0005351129.tif 000008
【図７】
0005351129.tif 000009
【図８】
0005351129.tif 000010
【図９】
0005351129.tif 000011
【図１０】
0005351129.tif 000012
【図１１】
0005351129.tif 000013